(57)【要約】【課題】簡単な装置によって、簡易に鋼線の把持力を除去することができる、鋼線把持力の除去装置を提供することを目的とする。【解決手段】クサビ片ｃの端に押し当てるクサビストッパー１と、固定具ａを鋼線ｄ拘束時のクサビのスライド方向と同一方向に移動させる加圧機構２を、同一の架台３に取り付けて構成する。【選択図】        図１
2004306145.tif 000002
【特許請求の範囲】
【請求項１】
鋼線を周囲から把持するために、クサビ台上のクサビ片を一方向にスライドさせて、鋼線を周囲から把持する鋼線固定具の把持力を除去するための装置であって、
鋼線固定具のクサビ片の端に押し当てるクサビストッパーと、
鋼線固定具を、クサビストッパー側へ移動させる加圧機構とを備え、
クサビストッパーと、加圧機構とを、同一の架台に取り付けて構成した、
鋼線把持力の除去装置。
【請求項２】
クサビ片の端に押し当てるクサビストッパーは、
固定具の端面側へ向けた一体、あるいは複数の部材であって、
開放側から鋼線をセットすることができるように配置してある、
請求項１記載の、鋼線把持力の除去装置。
【請求項３】
固定具を、クサビストッパー側へ移動させる加圧機構を、
回転中心が部材の中心から偏位した位置にあるカム盤によって構成した、
請求項１記載の、鋼線把持力の除去装置。
【発明の詳細な説明】
【０００１】
【発明の属する技術分野】
本発明は、鋼線把持力の除去装置に関するものである。
【０００２】
【従来の技術】
ＰＣより線は、溶接によって接続して延長することは困難である。
そのために、ＰＣより線を接続するために、図４に示すような鋼線固定具ａが知られている。
この固定具ａは、内部に反対方向に向けて傾斜する二箇所のクサビ台ｂを備え、各クサビ台ｂ上のクサビ片ｃを一方向にスライドさせて、鋼線ｄを拘束して把持する構成を備えている。
このクサビ片ｃは、外周を傾斜させた円錐台状の円筒を複数に分割した形状を呈するものを採用している。
したがって、鋼線ｄを引っ張る力が、クサビ片ｃが中心側へ集まる拘束力となるために、良好な拘束力を発揮することができる。
しかし一方で、解体が必要となった場合には、鋼線ｄは周囲から強固に締め付けられているから、かかる強固な把持力を除去する作業が容易ではない。
そのために例えば油圧を利用して除去を行う装置が開発されている。（例えば特許文献１、２、３参照）
【０００３】
【特許文献１】
特開平１１−２５６８２７号公報
【特許文献２】
特開２００２−１５３２０５号公報
【特許文献３】
実開昭６４−２８４３１号公報
【０００４】
あるいは図５に示すように、固定具のネジ筒ｅを手で回転して解体し、クサビ片ｃを緩めて鋼線ｄを引き抜く作業によって鋼線ｄの把持力を除去している。
あるいは、現場でパイプを半分に切断した治具の端をクサビに当て、この治具をハンマーで叩いてクサビを押し出す方法などが採用されている。
【０００５】
【本発明が解決しようとする課題】
前記したような鋼線把持力を除去する方法や装置にあっては、次のような問題点がある。
＜イ＞現場によっては、毎日多数本の鋼線の把持力を除去して鋼線を引き出す作業が必要となる。そのために１ヶ所ごとに固定具を手で回転して解体して鋼線を引き抜く作業を繰り返すことは、多大な時間と労力を要する。
＜ロ＞油圧を使用する装置は複雑で高価であり、重量も大きく、多数の箇所の把持力を除去するために頻繁に移動することは容易ではない。
＜ハ＞クサビ片の端部を治具を介してハンマーで叩く方法では、クサビや治具の端が破損しやすい。
【０００６】
【本発明の目的】
本発明は上記したような従来の問題を解決するためになされたもので、簡単な装置によって、簡易に鋼線の把持力を除去することができる、鋼線把持力の除去装置を提供することを目的とする。
【０００７】
【課題を解決するための手段】
上記のような目的を達成するために、本発明の鋼線把持力の除去装置は、鋼線を周囲から把持するために、クサビ台上のクサビ片を一方向にスライドさせて鋼線を周囲から把持する鋼線固定具の把持力を除去するための装置であって、鋼線固定具のクサビ片の端に押し当てるクサビストッパーと、鋼線固定具を、クサビストッパー側へ移動させる加圧機構とを備え、クサビストッパーと、加圧機構とを、同一の架台に取り付けて構成した、鋼線把持力の除去装置を特徴としたものである。
【０００８】
【本発明の実施の態様】
以下図面を参照しながら本発明の鋼線把持力の除去装置の実施例について説明する。
【０００９】
＜イ＞使用する対象。
本発明の装置を使用する対象は、前記したようにクサビ片ｃによって鋼線ｄを把持する鋼線固定具ａである。
この鋼線固定具ａの内部に形成したクサビ台は筒状体の内部の直径を、一方向に向けてラッパ状に収束した筒状体である。
したがって、前記したようにクサビ片ｃが鋼線ｄに作用する引張力によって、クサビ台上を一方向にスライドすることにより、クサビ片ｃ間の距離が狭くなり、鋼線ｄを周囲から強固に拘束することができる。
クサビ台は反対方向に向けてはラッパ状に開放しているから、クサビ片ｃを拘束方向と反対方向にスライドさせると集中状態から開放され、鋼線ｄを拘束している力を失う。
【００１０】
＜ロ＞除去装置の全体の構成。
本発明の除去装置は、クサビ片の端に押し当てるクサビストッパー１と、固定具ａを一方向に移動させる加圧機構２とよりなる。
そして、これらのクサビストッパー１と、加圧機構２を同一の架台３に取り付けて構成するものである。
【００１１】
＜ハ＞クサビストッパー１。
クサビストッパー１は、例えば鋼管を半分に切断した、断面Ｃ字状の半筒体を架台３に固定して使用することができる。
あるいは短冊状の鋼板を使用することもできる。
このクサビストッパー１の端面は、鋼線固定具ａのクサビ片ｃの端に押し当てることができる位置に配置する。
このクサビストッパー１として断面Ｃ字状の半筒体を使用した場合に、開放側から鋼線ｄをセットすることができるように構成する。
すなわち、断面が半円以下の樋状であれば、開放側からその内側に鋼線ｄを設置することができる。
【００１２】
＜ニ＞加圧機構２。
鋼線固定具ａを、鋼線ｄ拘束時のクサビのスライド方向と同一方向に移動させる加圧機構２は、例えばカム板２１を使用することができる。
すなわち、回転中心が部材の中心から偏位した位置にあるカム板２１を採用し、その回転中心の回転軸２２を架台３に取り付ける。
この回転軸２２にはハンドル２３を取り付ける。
このハンドル２３を持って回転軸２２に回転を与えると、カム板２１は偏位した位置の回転軸２２を中心に回転する。
このカム板２１は、鋼線固定具ａのクサビ片ｃの位置よりも外側の端面に接する位置に取り付ける。したがって加圧機構２が作動した場合にも、クサビ片ｃを押し付けることがない。
【００１３】
＜ホ＞架台３への配置。
クサビストッパー１と加圧機構２は同一の架台３へ取り付ける。
クサビストッパー１と加圧機構２とは鋼線固定具ａの長さよりも多少広い間隔で取り付ける。
この架台３の内部に、鋼線ｄを把持した状態の鋼線固定具ａを設置して鋼線固定具ａの把持作用を解除する。
【００１４】
＜ヘ＞使用方法。
次に本発明の装置の使用方法について説明する。
【００１５】
＜ト＞固定具ａのセット。
鋼線固定具ａは、鋼線ｄをその周囲からクサビ片ｃで把持した状態である。
その状態の鋼線固定具ａを、クサビストッパー１の端面が鋼線固定具ａのクサビ片ｃの露出端に当接する状態で、本発明の架台３に設置する。
一方、鋼線固定具ａの他端は、加圧機構２に接して位置させる。
【００１６】
＜チ＞加圧機構２の回転。
その状態で、加圧機構２のハンドル２３を回転する。
すると、回転中心が部材の中心から偏位した位置にあるカム板２１が作動する。
その結果、鋼線固定具ａを、鋼線ｄ拘束時のクサビのスライド方向と同一方向、すなわちクサビストッパー１側へ移動させる。
【００１７】
＜リ＞クサビ片ｃの押し戻し。
鋼線固定具ａがクサビストッパー１側へ移動すると、鋼線固定具ａ自体は移動できるが、クサビ片ｃはその移動する予定の位置にクサビストッパー１が配置してある。
そのために、クサビ片ｃは移動を阻止されて、相対的に固定具ａの内部に押し戻される。
クサビ片ｃは、クサビ台の上をスライドして押し戻されると、クサビ台は加圧機構２側に向けてラッパ状に開放しているから、クサビ片ｃは集中状態から開放され、鋼線ｄを拘束している力を失う。
こうして、鋼線ｄを拘束していた把持力を除去することができる。
【００１８】
【本発明の効果】
本発明の鋼線把持力の除去装置は以上説明したようになるから、簡単な装置によって、簡易に鋼線の把持力を除去することができる。
特に油圧などの動力源が不要であるから、作業員が簡単に運搬して除去作業を行うことができる、能率的である。
またハンマーで叩くような衝撃的な力を使用しないから、どの部材も破損する可能性がなく経済的である。
【図面の簡単な説明】
【図１】本発明の鋼線把持力の除去装置の実施例の説明図。
【図２】鋼線ｄの固定具ａを設置した状態の実施例の説明図
【図３】クサビ片ｃを押し戻した状態の実施例の説明図。
【図４】鋼線を固定する固定具ａの一例の説明図。
【図５】図４の固定具を解体して鋼線の把持力を除去した状態の説明図。
【図１】
2004306145.tif 000003
【図２】
2004306145.tif 000004
【図３】
2004306145.tif 000005
【図４】
2004306145.tif 000006
【図５】
2004306145.tif 000007